Podtech/llm-jp-corpus-v4-ja_patent huggingface dataset:
(57)【特許請求の範囲】
【請求項１】
ジメチルポリシロキサンを含有するアフタおよび口内炎の治療剤（但し、スクラルフェートとシメチコンを含有するアフタおよび口内炎の治療剤、及び、ポリジメチルシロキサンとフッ化第一スズを含有するアフタおよび口内炎の治療剤を除く）の製造方法において、ジメチルポリシロキサンを活性成分として使用する方法。
【請求項２】
請求項１に記載の使用方法であって、治療すべき前記アフタがアフタ性口内炎である使用方法。
【請求項３】
請求項１に記載の使用方法であって、前記治療剤がエマルジョンの形態である使用方法。
【請求項４】
ジメチルポリシロキサンを含有する、アフタおよび口内炎の治療剤（但し、スクラルフェートとシメチコンを含有するアフタおよび口内炎の治療剤、及び、ポリジメチルシロキサンとフッ化第一スズを含有するアフタおよび口内炎の治療剤を除く）。
【発明の詳細な説明】
本発明は、アフタ(aphtae)および口内炎の治療方法に関する。
アフタおよび口内炎は、固く付着した繊維膜で覆われた浮腫性および浸潤性病巣、並びに潰瘍の疼痛性腫脹の形態で現れる口腔粘膜の炎症性変化である。これらの腫脹は円形で、レンズ豆程度の大きさになることがある。アフタは複数の病因を有しており、感染およびアレルギー反応によって発生し得るし、内部の疾患から身を守り得るし、或いは精神身体的な性質を有し得る。また、酸を含有する刺激性食品(caustic food)も、口腔粘膜の炎症を導き得る。医薬、特に化学療法剤もまた、しばしば口に水泡の形成をもたらす。放射線もまた、アフタの原因となり得る。更に、喫煙もまたニコチン性口内炎の形成をもたらす。
粘膜損傷は、自虐的噛み傷をもたらすことになるであろう。
ウイルス感染もまた、口腔アフタの原因になり得る。従って、単純ヘルペスウイルスのようなＤＮＳ−ウイルスは、再発性の口内炎性アフタを生じ得るし、また歯肉口内炎ヘルペスは、口腔内に水泡および潰瘍病巣をもたらす。
口腔粘膜のこのような病理的変質の治療は、該疾患の重篤度に依存しており、あり得る一次疾患を治療すること、疼痛を生じるマウスケア剤、食品または刺激剤を忌避すること、およびアネステシンTM含有薬剤のような麻酔剤を含有する薬剤により疼痛を緩和することが含まれる。更に、穏和な抗炎症剤洗浄液またはコルチコイドを含有する軟膏またはロゼンジ(lozenge)が用いられる。
しかし、患者を即座に疼痛から解放することができ、また全身的な副作用を誘発することなく、アフタおよび口内炎の迅速な治癒を促すことができる薬剤が、現在も依然として要望されている。
ジメチコーン（ジメチルポリシロキサン）は、現在のところ、腹部膨満および鼓腸の治療に用いられている。更に、胃および十二指腸の潰瘍、食道の炎症性疾患、並びに幽門洞胃炎の治療にジメチルポリシロキサンを使用することが知られている。例えば、参照として本明細書に組み込まれるWO90/07930には、ジメチルポリシロキサンを経口投与することにより、食道、胃および十二指腸に保護膜を形成し、これを維持できることが記載されている。これは、上記疾患の治癒をもたらす。
本発明は、アフタまたは口内炎によって生じた口腔粘膜の炎症部位にジメチコーン、特にジメチコーン含有溶液を塗布することによって、患者は即時に疼痛から解放され、これは塗布後３〜４時間持続するという予期し得なかった発見に基づいている。更に、ジメチコーン液を１日に３回塗布することによって、アフタの迅速な治癒がもたらされることが見出された。２日後には既に顕著な改善を観察することができた。更に、望ましくない副作用は全く見られなかった。加えて、ジメチコーンは無味であり、その投与は、食物摂取に際して味覚に何らの悪影響をも与えない。
ジメチコーンは、本発明に従い、経口投与のための錠剤、カプセル、パッチ(patch)、エマルジョン、懸濁液および粉末の形で適用すればよい。好ましくは液状とし、高度に分散させた二酸化シリコンのような生物学的に許容可能なキャリア、および／または水と脂肪酸塩（例えばステアリン酸マグネシウム）とのエマルジョンのようなエマルジョンと共に適用され得る。このような組成物は、安全かつ所望の結果を誘発するのに十分な量で、ヒトおよび動物に対して投与し得る。必要に応じて、この混合物に対して、ペパーミントまたはカールドミント芳香物質のような通常の香料、またはアスパルテームTMまたはシクラミン酸ナトリウム(sodium cyclamate)のような甘味剤を添加してもよい。
投与のレベルおよび用件は、利用可能な方法および技術の中から当業者が選択すればよい。具体的な投与量および治療レジメは、重篤度およびアフタの経緯若しくはその素因などの要因に依存するであろう。
本発明のより完全な理解を可能とするために、以下に本発明の実施例を記載する。この実施例は例証のみを目的とするものであり、従って、いかなる意味でも本発明の範囲を限定するものと解釈されてはならない。
実施例
治療組成物の調製
１００ｇのジメチルポリシロキサン、１２ｇの高分散二酸化シリコン、および１００ｇのステアリン酸マグネシウムを水浴中で溶融し、攪拌してエマルジョンを形成する。次いで、ドロップの形態での投与を可能にする液状薬剤を調製するために、このエマルジョンを水で希釈する。
適用例
患者：男性
年齢：４６
診断：白色繊維膜を呈する口腔粘膜の侵食（アフタ）
病因：不明；疑われる病因はクエン酸果実の過剰摂取。
治療：ジメチコーン含有液剤を、１日３回アフタ患部に塗布する。
効果：ジメチコーン含有液剤の塗布により、疼痛は即座に解消し、この効果は３〜４時間持続した。
治癒：ジメチコーン含有液剤を１日３回塗布することにより、アフタは迅速に治癒し、２日後には既に顕著な改善が見られた。更に２日後に、侵食は消滅した。
副作用：なし。
味覚：ジメチコーンは無味であり、その投与は、食物摂取に際して味覚に何らの悪影響をも与えない。
上記において本発明の一態様を説明したが、この態様は、本発明の方法を利用した他の態様を提供するために変更し得ることは明らかである。従って、本発明の範囲は、実施例の形で提示された特定の態様によってではなく、添付の請求の範囲の記載によって限定されるものである。
(57)【特許請求の範囲】
【請求項１】
ディスプレーサーの高温側の先端部外周に凹溝を穿設し、該凹溝内にＯリングと、該Ｏリングの外側に装着される樹脂製シールからなるシール部材が装着された蓄冷器のディスプレーサーにおいて、前記シール部材装着箇所より低温側位置であって、かつ、前記ディスプレーサーの高温側上半部に位置する箇所の外周面に穿設された凹溝に、該外周面よりも若干突出するようにフッ素樹脂製のウエアーリングを装着し、該ウエアーリングは、前記シール部材の補助的シール作用を行なうとともに、前記ディスプレーサーを水平方向に往復動させる場合、該ウエアーリングで前記ディスプレーサーを支承し、前記シール部材に過大な偏荷重がかかるのを防止できるようにしたものであることを特徴とする蓄冷器のディスプレーサー。
【発明の詳細な説明】
【０００１】
【発明の属する技術分野】
本発明はＧＭ冷凍機、スターリング冷凍機等の蓄冷式極低温冷凍機に使用される蓄冷器のディスプレーサーに関する。
【０００２】
【従来の技術】
図３は公知の２段型ＧＭ冷凍機であって、該冷凍機の２段型蓄冷器を断面図で表している。１はＧＭ冷凍機の本体、２は圧縮機、３は作動ガス管路、４は２段型蓄冷器で本体１に固着されている。
【０００３】
前記蓄冷器４は第１段シリンダ４ａ1と該シリンダに連結されている小径の第 ２段シリンダ４ａ2と、これら両シリンダー内で夫々往復動される第１段ディス プレーサー４ｂ1、第２段ディスプレーサー４ｂ2から構成されている。
なお、Ｅ1、Ｅ2は前記ディスプレーサー４ｂ1、ディスプレーサー４ｂ2内に充填されている金網積層体等からなる蓄冷材、Ｃ1は第１冷却ステージ、Ｃ2は第２冷却ステージである。５は作動ガスの漏洩を防止するためのシール部材であって、図４に詳細構造を示す。第１段ディスプレーサー４ｂ1の上端部に穿設した凹 溝内にゴム製Ｏリング５ａを挿入しその外側に樹脂製シール５ｂを装着した構造である。
【０００４】
極低温を得るためのＧＭ冷凍機において、冷凍能力が大容量のものは一般的に１段目の蓄熱のための蓄冷材の量を多くする必要があり、ディスプレーサーの外径が大きくなりディスプレーサーの重量も増大する。
【０００５】
冷凍能力が小容量でディスプレーサーが小型の場合は、蓄冷器４を水平方向にしてディスプレーサーを水平方向に往復動させてもシール部材に別段支障を来すことがないが、ディスプレーサが大型（外径：９０ｍｍ以上）になりディスプレーサーの重量が増大すると、このようなディスプレーサーを水平方向に往復動させると、ディスプレーサーの自重によりシール部材が偏摩耗し、所定のメンテナンス時間が到来する以前に性能劣化を起こす恐れがある。
【０００６】
【発明が解決しようとする課題】
本発明は極低温冷凍機の蓄冷器の取り付け角度を水平方向は基よりあらゆる方向に向けてもシール部材の性能劣化を防止し、冷凍能力の低下を防止することを目的とするものである。
【０００７】
【課題を解決するための手段】
本発明は、ディスプレーサーの高温側の先端部外周に凹溝を穿設し、該凹溝内にＯリングと、該Ｏリングの外側に装着される樹脂製シールからなるシール部材が装着された蓄冷器のディスプレーサーにおいて、前記シール部材装着箇所より低温側位置であって、かつ、前記ディスプレーサーの高温側上半部に位置する箇所の外周面に穿設された凹溝に、該外周面よりも若干突出するようにフッ素樹脂製のウエアーリングを装着し、該ウエアーリングは、前記シール部材の補助的シール作用を行なうとともに、前記ディスプレーサーを水平方向に往復動させる場合、該ウエアーリングで前記ディスプレーサーを支承し、前記シール部材に過大な偏荷重がかかるのを防止できるようにしたものである
【０００８】
【発明の実施の形態】
本発明にかかる蓄冷器の実施形態について図１および図２を参照して説明する。なお、図中同一部品には同一符号を付し説明の重複を省略する。
図１は本発明にかかるディスプレーサーの要部の拡大断面図である。
本発明はディスプレーサー４ｂ1の上半部の高温（常温）領域外周にフッ素樹脂 製のウエアーリング６を装着している。ウエアーリングは複数個装着してもよい。
【０００９】
ウエアーリングは、図２に示すように厚みが最大２ｍｍ、幅が３〜２０ｍｍの４弗化エチレン等のフッ素樹脂製で、ディスプレーサー４ｂ1の上半部の高温領 域に該当する箇所の外周に穿設された凹溝にウエアーリング６の外周面がディスプレーサー４ｂ1の外周面よりも若干突設するように装着されている。
【００１０】
上記のウエアーリング６をディスプレーサーの外周面に装着したことによりシール部材５の補助的シール作用を行なうことは勿論のこと、シリンダーとディスプレーサー間の接触を均一にすることができる。
また、ディスプレーサーを水平方向に往復動させる場合ウエアーリング６でディスプレーサーを支承するため、シール部材５に過大な偏荷重がかかるのを防止できるとともに駆動モーターへの負荷も低減できる。
【００１１】
【発明の効果】
本発明によれば、ディスプレーサーの高温側の先端部外周に装着したシール部材装着箇所より低温側位置であって、かつ、ディスプレーサーの高温側上半部に位置する箇所の外周面に穿設された凹溝に、該外周面よりも若干突出するようにフッ素樹脂製のウエアーリングを装着し、該ウエアーリングは、シール部材の補助的シール作用を行なうとともに、前記ディスプレーサーを水平方向に往復動させる場合、該ウエアーリングで前記ディスプレーサーを支承し、前記シール部材に過大な偏荷重がかかるのを防止できるようにしたことにより作動ガスのシールが一層確実になり極低温冷凍機の冷凍能力が向上できる。また、大型のディスプレーサーを水平方向に往復動させる仕様の場合でも、シール部材が偏摩耗して性能劣化を早めることがなく、駆動モータヘの負荷も低減できるので運転コストを低減できる。
【図面の簡単な説明】
【図１】本発明にかかる蓄冷器のディスプレーサーの要部断面説明図。
【図２】本発明にかかるウエアーリングの説明図。
【図３】公知の２段型ＧＭ冷凍機の要部断面説明図
【図４】公知の蓄冷器のディスプレーサーの要部断面説明図。
【符号の説明】
１        ＧＭ冷凍機本体              ５        シール部材
２        圧縮機                      ５ａ      ゴム製Ｏリング
３        作動ガス管路                ５ｂ      樹脂製シール
４        ２段型蓄冷器                ６        ウエアーリング
４ａ1     第１段シリンダ              Ｃ1        第１冷却ステージ
４ａ2     第２段シリンダ              Ｃ2        第２冷却ステージ
４ｂ1     第１段ディスプレーサー      Ｅ1、Ｅ2   蓄冷材
４ｂ2     第２段ディスプレーサー
【図１】
0003895552.tif 000002
【図２】
0003895552.tif 000003
【図３】
0003895552.tif 000004
【図４】
0003895552.tif 000005
(57)【特許請求の範囲】
【請求項１】
少なくとも内径側に繊維を含んだ樹脂層が存在する軸受の内径加工方法であって、軸受の内径を切削加工後に、該軸受の内径に加熱したマンドレルを挿入し、該マンドレルにより前記切削加工で発生した繊維の毛羽立ちを押しつぶして仕上げることを特徴とする軸受の内径加工方法。
【請求項２】
前記軸受側または前記マンドレル側を回転させて挿入することを特徴とする請求項１に記載の軸受の内径加工方法。
【発明の詳細な説明】
【０００１】
【産業上の利用分野】
この発明は、繊維を含んだ樹脂層が存在する軸受における内径の加工方法に関するものである。
【０００２】
【従来の技術及びその課題】
従来、図６に示すように、旋盤の主軸１のチャック２に軸受４が取り付けられたハウジング３を取り付け、軸受４の摺動面となる内径４ａをバイト５で切削加工して仕上げており、この場合に、軸受４の内径４ａ側が、例えばアラミド樹脂などの繊維が含まれた樹脂層で形成されていると、図７に示すように、内径４ａに繊維の毛羽立ち４ｂが発生してしまい、その状態で軸受として使用すると、軸と軸受内径４ａが接触することで毛羽立ち４ｂが早期につぶされて、軸受のクリアランスが増加してしまうという問題点がある。
かと言って、毛羽立ちが早期につぶされることを見込んで初期の軸受クリアランスを小さく設定すると、軸と軸受を嵌め合わせることができないという問題点があった。
【０００３】
【課題を解決するための手段】
本発明は上記従来の問題点に鑑み案出したものであって、軸受として使用する場合に、軸受クリアランスが早期に増加することがなくなる軸受の内径加工方法を提供せんことを目的とし、その第１の要旨は、少なくとも内径側に繊維を含んだ樹脂層が存在する軸受の内径加工方法であって、軸受の内径を切削加工後に、該軸受の内径に加熱したマンドレルを挿入し、該マンドレルにより前記切削加工で発生した繊維の毛羽立ちを押しつぶして仕上げることである。
また、第２の要旨は、前記軸受側または前記マンドレル側を回転させて挿入することである。
【０００４】
【実施例】
以下、本発明の実施例を図面に基づいて説明する。
図１は、軸受の内径仕上げ加工の作業説明図であり、旋盤の主軸１のチャック２には軸受４が内側に取り付けられたハウジング３が取り付けられ、一方の刃物台７側のホルダー８には取付板９をボルト１０で締め付けてマンドレル６が取り付けられており、ハウジング３側を回転させた状態で、刃物台７を移動させて、軸受４の内径４ａ内にマンドレル６を挿入して、軸受４の内径４ａに発生している毛羽立ち４ｂをマンドレル６で押しつぶして内径４ａを仕上げるものである。
即ち、軸受内径４ａを前記図６のようにバイト５で切削加工した後に、マンドレル６を内径４ａ内に挿入して、切削加工で発生した毛羽立ち４ｂを押しつぶして仕上げるのである。このように毛羽立ち４ｂを押しつぶして仕上げることにより、軸受として使用する場合に軸受クリアランスが早期に増加することがなくなるものである。
【０００５】
なお、図２の概略図で示すように、軸受４の内径Ｄに対しマンドレル６の外径ｄは大きい方が望ましく、マンドレル６を軸受４の内径４ａ内に圧入することが望ましい。例えば圧入代は０．００５〜０．１mm程度に設定しておくと、良好に毛羽立ち４ｂを押しつぶして仕上げることができるものとなる。
なお、図３は、マンドレル６を挿入して仕上げた状態の軸受の内径４ａの断面拡大図である。
【０００６】
なお、図４の変形例で示すように、前記マンドレル６内にヒーター１１を設け、このヒーター１１に平行状にマンドレル６内に熱電対１３を設けて、これらをコントローラ１２に接続し、熱電対１３からの信号でコントローラ１２でヒーター１１の温度制御を行い、例えばヒーター１１を室温から２００℃程度に加熱して、この状態でマンドレル６を軸受４の内径４ａに挿入することにより、より良好に毛羽立ち４ｂを押しつぶして、内径４ａを更に良好に仕上げることができるものとなる。
【０００７】
なお、図５に示すように、内径が異なる、例えば小径の軸受４Ａと、大径の軸受４Ｂを同時に内径加工する場合には、マンドレル６側に段部６ｂを有し、小径部６ａと大径部６ｃを形成させたものを用いて、小径軸受４Ａと大径軸受４Ｂを同時に内径加工することができるものである。
【０００８】
なお、本例では、旋盤を用いて、軸受４側を回転させた状態でマンドレル６を挿入する実施例を示しているが、軸受４側を回転させることなくマンドレル６を挿入しても良く、また、フライス盤等を用いてマンドレル６側を回転させて挿入しても良い。
【０００９】
【発明の効果】
本発明は、少なくとも内径側に繊維を含んだ樹脂層が存在する軸受の内径加工方法であって、軸受の内径を切削加工後に、軸受の内径に加熱したマンドレルを挿入し、マンドレルにより切削加工で発生した繊維の毛羽立ちを押しつぶして仕上げることとしたため、マンドレル側を加熱して挿入することにより、良好に毛羽立ちをつぶして良好な内径仕上げを行うことができ、軸受として使用する場合に、軸受クリアランスが早期に増加することがなくなる効果を有する。
【００１０】
また、軸受側またはマンドレル側を回転させて挿入することにより、より良好に毛羽立ちをつぶして、良好に軸受の内径加工を行うことができるものとなる。
【図面の簡単な説明】
【図１】  マンドレルを用いて軸受内周を仕上げ加工する作業説明図である。
【図２】  軸受内径とマンドレル外径との関係を示す概略構成図である。
【図３】  仕上げ加工後の軸受内径の拡大断面図である。
【図４】  マンドレル内にヒーターを設けた構成の断面図である。
【図５】  内径の異なる複数の軸受を同時に内径加工する場合の概略構成図である。
【図６】  従来、バイトで軸受内径を切削加工している作業説明図である。
【図７】  従来の切削加工により軸受内径に毛羽立ちが発生した状態の断面拡大構成図である。
【符号の説明】
１  主軸
２  チャック
３  ハウジング
４  軸受
４Ａ  小径軸受
４Ｂ  大径軸受
４ａ  内径（摺動面）
４ｂ  毛羽立ち
５  バイト
６  マンドレル
６ａ  小径部
６ｂ  段部
６ｃ  大径部
７  刃物台
８  ホルダー
９  取付板
１１  ヒーター
１２  コントローラ
１３  熱電対
【図１】
0003895902.tif 000002
【図２】
0003895902.tif 000003
【図３】
0003895902.tif 000004
【図４】
0003895902.tif 000005
【図５】
0003895902.tif 000006
【図６】
0003895902.tif 000007
【図７】
0003895902.tif 000008
(57)【特許請求の範囲】
【請求項１】
軟弱地盤上に面内方向および垂直方向に通水する不織布を敷き、
この不織布上に砂を敷きならしてサンドマットを形成し、
前記サンドマット中の前記不織布のすぐ上方に暗渠管を配設し、
前記サンドマットおよび不織布を貫いて軟弱地盤に至るように排水管を打ち込み、
このサンドマット上に盛土を施すことを特徴とする軟弱地盤上への造成工事方法。
【発明の詳細な説明】
【０００１】
【発明の属する技術分野】
本発明は、軟弱地盤上への造成工事方法の改良に関する。
【０００２】
【従来の技術】
従来から、軟弱地盤上への造成工事は、軟弱地盤上にサンドマットを引き均し、このサンドマット上に盛土を施して行われている。このような造成工事においては、圧密（土壌や堆積物が、上位の堆積物の荷重によって圧縮され体積を減ずる現象）により軟弱地盤から排出される圧密排水は、軟弱地盤に打ち込まれたバーチカルドレイン（垂直に打ち込まれた排水管）を通じて、サンドマットの層に運ばれ、このサンドマットに設けられた暗渠管（地下排水管）を介して、盛土の外部に排出されるようになっている。
【０００３】
このように、サンドマットは軟弱地盤の層に対する表層排水層として機能し、このサンドマットにおいて、軟弱地盤側からの圧密排水や、盛土側からの降雨浸透水は、軟弱地盤の圧密に支障を与えないように排水される。
【０００４】
また、このサンドマットは、軟弱地盤側から盛土側への地下水の上昇を遮断する排水層として機能する。
【０００５】
さらに、サンドマットは、バーチカルドレインを施工する際に建設機械の荷重を支持する支持層としても機能する。なお、軟弱地盤によってはサンドマットだけでは建設機械を支持するトラフィカビリティ（地面の耐荷力）を確保できない場合があるが、この場合には、軟弱地盤とサンドマットの間に土木用シートを介装させることにより、十分なトラフィカビリティを確保している。
【０００６】
【発明が解決しようとする課題】
しかしながら、近年においては、このような重要な機能を果たすサンドマットとして適切な、透水性の良い良質の砂を大量に確保するのは困難になって来ている。このため、サンドマット用の砂として、細粒分が比較的多く、締め固めると透水係数が極端に低下してしまう山砂を使用せざるを得ないが、このような山砂からなるサンドマットで十分な透水性を確保し、軟弱地盤の圧密沈下の進行を促すにはサンドマットの厚さを厚くする必要があるので、その分、造成工事費が増大してしまう。
【０００７】
これに対して、安定供給が可能で、かつ透水性の高い人工材料として、例えば不織布をサンドマットの代わりに用いることが考えられる。しかしながら、不織布は盛土等の荷重により圧縮されると、通水断面が極端に圧縮されたり、細粒分の侵入による目詰まりが生じてしまったりする結果、排水材料として十分な機能が得られない恐れがある。
【０００８】
また、不織布のような通水断面の圧縮や目詰まりの影響のない板状排水材をサンドマットの代わりに用いることも考えられるが、このような板状排水材は単価が高く、造成工事費が増大してしまう。
【０００９】
本発明は、このような問題点に着目してなされたもので、造成された地面に十分な排水性およびトラフィカビリティを確保しつつ、使用される砂の量を減らし得る、軟弱地盤上への造成工事方法を提供することを目的とする。
【００１０】
【課題を解決するための手段】
軟弱地盤上に面内方向および垂直方向に通水する不織布を敷き、この不織布上に砂を敷きならしてサンドマットを形成し、前記サンドマット中の前記不織布のすぐ上方に暗渠管を配設し、前記サンドマットおよび不織布を貫いて軟弱地盤に至るように排水管を打ち込み、このサンドマット上に盛土を施す。
【００１１】
【発明の作用および効果】
本発明では、軟弱地盤上への造成工事において、軟弱地盤とサンドマットの間に不織布を敷き、この不織布がサンドマットとともに排水層を形成する。そして、サンドマットおよび不織布を貫いて軟弱地盤に至るように排水管により、軟弱地盤からの圧密排水を排水層まで汲み上げ、暗渠管から盛土の外部に排出する。このように、本発明では、排水層の一部を不織布で代替したことにより、排水層全体をサンドマットで構成する場合に比べて、サンドマットに使用される砂の量が低減できるとともに、代替物である不織布が安価なことから造成工事の大幅なコストダウンが図れる。
【００１２】
【発明の実施の形態】
以下、添付図面に基づいて、本発明の実施の形態について説明する。
【００１３】
図１〜図３には、本実施の形態の造成工事方法の手順を示す。
【００１４】
本造成工事方法では、まず、図１に示すように、造成工事がなされるべき軟弱地盤１の上に不織布２を敷き詰める。この不織布２は、面内方向および垂直方向ともに通水能力が大きな人工材料である。
【００１５】
続いて、図２に示すように、建設機械３によって、不織布２の上に砂を敷きならして行き、サンドマット４を形成する。
【００１６】
このように不織布２の上にサンドマット４を形成するにあたっては、図３に示すように、このサンドマット４の層の中で不織布５のすぐ上に暗渠管５を配設しておく。そして、建設機械６によって、サンドマット４上方から、サンドマット４および不織布２を貫いて軟弱地盤層１に到達するように、バーチカルドレイン７を垂直に打ち込む。サンドマット４の上には、図示されない盛土が施され、造成工事が完成する。
【００１７】
このような造成工事により、軟弱地盤１の圧密により生じる圧密排水は、バーチカルドレイン７により汲み上げられ、バーチカルドレイン７の頂部７Ａから噴出してサンドマット４の層に至る。その後、圧密排水は不織布２に導かれて暗渠管５に至り、暗渠管５を通じて盛土の外に排出され、軟弱地盤１の地盤改良が行われる。
【００１８】
このように本造成工事方法によれば、サンドマット４の下に不織布２を敷くようにしたので、サンドマット４を薄くしても十分な排水能力が確保され、サンドマット４を薄くした分、必要となる砂の量が少なくて済む。
【００１９】
また、排水層の一部を構成する不織布２は、材質が安定しており、また安価であるので、従来の排水層をサンドマットのみで構成する工法に比較して、大幅にコストダウンが図れる。なお、不織布２は、サンドマット４と併用することにより、十分な排水能力を発揮し得ることは、実験で確認されている。
【００２０】
さらに、不織布２は、バーチカルドレイン７打設用の大重量の建設機械６を支持するトラフィカビリティをサンドマット４に与えるとともに、サンドマット４の施工性を良くするので、従来の土木シートに代わる役割も果たし、土木シートを使用する必要がなくなる。
【図面の簡単な説明】
【図１】本発明の実施の形態を示す説明図である。
【図２】同じく説明図である。
【図３】同じく説明図である。
【符号の説明】
１  軟弱地盤
２  不織布
３  建設機械
４  サンドマット
５  暗渠管
６  建設機械
７  バーチカルドレイン
【図１】
0003895432.tif 000002
【図２】
0003895432.tif 000003
【図３】
0003895432.tif 000004
(57)【特許請求の範囲】
【請求項１】
信号記録媒体に照射する光ビームを発生させる光源として半導体レーザーを使用し、該半導体レーザーを含む各種光学部品がハウジングに組込まれる光ピックアップの受光素子取付け装置において、受光素子が固着されているプリント基板が設置されるハウジングの設置部分に、該プリント基板より少許幅の広い凹部を形成し、凹部における前記プリント基板の両側面部とそれぞれ対面する位置に接着剤を塗布する接着溝を設けたことを特徴とする受光素子取付け装置。
【発明の詳細な説明】
【０００１】
【発明の属する技術分野】
本発明は、光ピックアップの受光素子の取付け装置に関する。
【０００２】
【従来の技術】
ディスク等の信号記録媒体に対して光学的に信号の読み取りを行う受光素子の取付けにおいて、図３及び図４にて説明する。図３は受光素子取付け装置の従来例を示す斜視図、図４は図３に示す要部の側面図である。
【０００３】
１はディスク等の信号記録媒体により反射された光ビームを受光する受光素子、２は前記受光素子１が固着されるとともに端子が接続されるプリント基板、２ａは前記プリント基板２の側面を接着保持する側面部、３は半導体レーザー等の各種光学部品が搭載されている記載されないハウジングに設けられる、前記プリント基板２を保持する凹部、３ａは前記凹部３の内壁、４は光ビームが通過し、受光素子１に照射する為の凹部３に設けた貫通孔、５は前記側面部２ａと内壁３ａの間を接着するＵＶ接着剤である。
【０００４】
プリント基板２と凹部３をＵＶ接着するには、まず、側面部２ａと内壁３ａの間隔及びプリント基板２の奥行きを治具により規定位置に保持した状態において、側面部２ａと内壁３ａ間にＵＶ接着剤５を塗布し、矢印Ａ方向よりＵＶ照射することによってＵＶ接着剤５が硬化し、側面部２ａと内壁３ａが接着されるようになっている。
【０００５】
【発明が解決しようとする課題】
ところで、前述したような作業工程を経て受光素子１は接着されるが、ＵＶ接着剤５の塗布量を一定にしても、ＵＶ照射するまでに多くの時間を経過すると側面部２ａと内壁３ａ間に塗布されたＵＶ接着剤５は図４に示す通り、奥行き方向へと広がった状態を成す場合があり、矢印Ａ方向よりＵＶ照射することによりＵＶ接着剤５は硬化するが、このように接着したＵＶ接着剤５は、プリント基板２の側面２ａより奥行きに流れた部分はＵＶ照射において、プリント基板２の影になる部分の接着剤は硬化しない箇所が形成される。また、ＵＶ接着剤５は水平方向へと広がり左右のバランスが崩れた状態においてＵＶ照射した後に硬化する接着剤とがある。
【０００６】
このように硬化したプリント基板２は接着面積が不均等になるため、左右のバランスが上下または左右方向にずれを起こすことになる。従って、受光素子１はレーザービームを規定された位置に正確に受光出来ずにディスクの読み取りに悪影響を与えるという問題があった。
【０００７】
【課題を解決するための手段】
本発明は、受光素子が固着されているプリント基板が設置されるハウジングの設置部分に、該プリント基板より少許幅の広い凹部を形成し、凹部における前記プリント基板の両側面部とそれぞれ対面する位置に接着剤を塗布する接着溝を設けたものである。
【０００８】
【実施例】
図１は本発明に係る受光素子取付け装置の一実施例を示す斜視図、図２は図１に示す受光素子取付け装置の側面図である。
【０００９】
図面番号においては、従来の技術に使用した名称については同一番号を使用した。図１及び図２において、１はディスク等の信号記録媒体により反射された光ビームを受光する受光素子、２は前記受光素子１が固着されるとともに端子が接続されているプリント基板、２ａはプリント基板２の両側面部を接着保持する側面部、３は半導体レーザーを含む各種光学部品が搭載される記載されないハウジングに凹型に形成して設けるとともに、前記内径は前記プリント基板２より少許幅が広く、前記側面部２ａの両側面を凹型内径にて保持する為の凹部、３１は前記側面部２ａと対向する面に位置する凹部３の中央部に矩形状に切込まれた接着溝、４はディスク等の信号記録媒体による光ビームの反射を受光素子１に照射するために凹部３に設けられた光ビームが通過する為の貫通孔、５は前記側面部２ａと接着溝３１間を接着するＵＶ接着剤である。
【００１０】
プリント基板２と凹部３をＵＶ接着するには、まず、図１及び図２に示す通り受光素子１が固着されたプリント基板２を治具により規定位置に保持した状態において、側面部２ａと接着溝３１間にＵＶ接着剤５を塗布するが、このように塗布したＵＶ接着剤５は側面部２ａと接着溝３１に接着したＵＶ接着剤５と接着溝３１に溜まるＵＶ接着剤５がある。
【００１１】
前記接着溝３１に溜まったＵＶ接着剤５は表面張力が働き、時間が経過しても図２に示す通り矢印Ａ方向であるプリント基板２ａの奥行きに流れ出すことなく左右対称な接着面積となる。
【００１２】
このようにＵＶ接着剤が安定した状態において、矢印Ａ方向からＵＶ照射することによってＵＶ接着材５は硬化し、側面部２ａのＵＶ接着剤５はＸ軸方向やＹ軸方向ならびにＺ軸方向に対し均一状態に硬化するので受光素子１はＵＶ接着直後の設定位置よりずれが生じない。従って、光ビームは貫通孔４を通過し受光素子１により正確に受光されることになる。
【００１３】
そして、本実施例では、接着溝の形状として矩形状として説明したが、半円柱状や半球状にしても同様な効果を得ることができる。
【００１４】
また、本実施例では接着箇所をプリント基板の中央部に設けたが、プリント基板の各コーナーに設けることにより、同様な効果を得ることができる。
【００１５】
【発明の効果】
以上に述べた通り、本発明に依れば、受光素子が固着されているプリント基板が設置されるハウジングの設置部分に、該プリント基板より少許幅の広い凹部を形成し、凹部における前記プリント基板の両側面部とそれぞれ対面する位置に接着剤を塗布する接着溝を設けたので接着剤が奥行に流れ出すことなく接着剤が左右均一状態で硬化するので受光部の位置がずれることがない。従ってレーザービームは受光素子に正確に照射することができるので、ディスクの読み取りエラーが発生しないという効果を有している。
【図面の簡単な説明】
【図１】本発明に係る受光素子取付け装置の一実施例を示す斜視図である。
【図２】図１に示す受光素子取付け装置の側面図である。
【図３】従来の受光素子取付け装置の一実施例を示す斜視図である。
【図４】図３に示す受光素子取付け装置の側面図である。
【符号の説明】
１        受光素子
２        プリント基板
２ａ        側面部
５        ＵＶ接着剤
３        凹部
３１        接着溝
【図１】
0003920595.tif 000002
【図２】
0003920595.tif 000003
【図３】
0003920595.tif 000004
【図４】
0003920595.tif 000005
(57)【要約】      （修正有）【課題】専門分野の知識が無い一般の車両使用者でも、車両の故障などを予見することができる携帯端末を介した情報の相互通信による自動車運行補助システムを提供する。【解決手段】携帯通信端末と車両診断装置であるOBDと連動させる事で情報の収集が実現され、その収集された情報をリアルタイムで通知し、使用者に対して有益な情報をアシストし、故障の診断が発見された時には緊急性の状況などを通知し、近隣の整備工場などへの誘致する情報等をシステム事業者が通知することで車両使用者を補助する。【選択図】図１
2016167112.tif 000002
【特許請求の範囲】
【請求項１】
自動車OBDシステムからの情報を、各個人が所有する携帯通信端末を介し事業者によるデータベース化を図り、リアルタイムで蓄積される自動車個体情報を組み合わせて、カルテ化することにより、自動車個体情報の一括管理を行え、当該自動車の所有者および、使用者の移転などによる情報の散逸化を防ぐ。
【請求項２】
自動車OBDシステムの診断信号を各個人の携帯通信端末を介しリアルタイムに収集することにより、故障や異常などの情報を事業者がいち早く当該個人に通知 出来るシステムであり、承諾された各個人情報とリアルタイムで収集できる自動車各個体の情報を組み合わせる事により、故障の事前警告や事故時の対応策など の情報を随時に通知する。
【発明の詳細な説明】
【技術分野】
【０００１】
本発明は、自動車運転免許を所有する全ての人が、日常使用する携帯通信端末を用いて、複雑化する自動車の個体状況を把握することが出来る上で、都度必要と なる情報などを事業者から受け取れる事から、故障の予兆や必要なメンテナンス要項、事故発生時の緊急対応などの情報を即時に享受することが可能となるシス テムであり、リコール情報や地域情報など、自動車を運行するうえでの各個人に適合した有益な情報をも享受することも出来、安全で便利な運行を随時において 補助されるシステムである。
【背景技術】
【０００２】
近年の自動車の動向として使用者の安全に即した機器が付帯され始めているが、自動車メーカーおよび関連メーカーの利益追求により、該当される機器の高額化 やランニングコストの必要性が必須となっており、車両診断装置として車両に付加されたシステムであるOBDも自動車メーカーの販売店誘引が主な役割とな り、車両一般使用者への使用が難しくなっている事から、複雑・細分化する自動車機能を車両使用者レベルで即時に理解できれば、故障などによる事故や渋滞の 低減、災害時の地域ごとの走行車両へのアナウンスなど、運転者の安全を確保する事が可能となる車両使用者の金銭的な負担の少ないシステムの構築が急がれ ている。
【先行技術文献】
【特許文献】
【０００３】
【特許文献１】特開2003-022330号公報
【発明の概要】
【発明が解決しようとする課題】
【０００４】
従来のOBD診断装置では、専門分野の知識がある人物でないと、故障個所まで特定できなく、対処方法は専門分野の人物による個々の判断を必要とする事から、専門分野の知識が無い一般の車両使用者でも、車両の故障などを予見することが出来れば、事故の低減は勿論のこと渋滞などの低減も可能であり、事故時に 緊急連絡などを行うシステムは既存に開発されているが、装置の高額な点などで自動車社会に浸透していない状況である。
【課題を解決するための手段】
【０００５】
現在の個人が所有する携帯通信端末には、情報伝達や情報処理能力に優れたものになり、音声通話はもとよりメール送信やインターネット通信などの優れた情報 伝達手段を、車両診断装置であるOBDと連動させる事で情報の収集が実現され、課題の解決における最優先事項は、その収集された情報をリアルタイムで通知 する事と、使用者に対して有益な情報をアシストする事であり、故障の診断が発見された時には緊急性の状況などを通知することにより、近隣の整備工場などへ の誘致する情報等をシステム事業者が通知することで車両使用者を補助する。
【発明の効果】
【０００６】
本発明によれば、車両情報や位置情報および、個人情報などを組み合わせる事により、緊急時はもとより、日常使用の車両運行にも有益な情報を提供し続ける事が出来る。
【図面の簡単な説明】
【０００７】
【図１】システム構築時のフローチャート。本発明システムの使用者と、本発明システムの事業者とのシステムの流れを記載している。システム使用者の許 諾された個人情報、携帯通信端末からの位置情報、車両の個体情報などを組み合わせた「情報」がシステム事業者に送信され使用者に有益な情報などが還流される方式を図に起こしている。
【図２】車両使用者がシステムを利用している情報の享受を図で示したもので、使用者が自動車の起動時や事故などの緊急時にシステムを利用し、有益な情報のアシストを受けるまでの流れを表している。
【発明を実施するための形態】
【０００８】
自動車OBDシステムと車両使用者の所有する携帯通信端末を接続することで、随時に車両の診断信号をシステム事業者に送信できるようになり、エンジン始動 時などにあらかじめ同時作動を設定しておいたアプリケーションにより、承諾された個人情報とOBD信号をシステム事業者に随時に発信が行え、システム事業 者はあらかじめ登録しておいた個人情報との照合も行える事で、カルテ化された情報を統合し、メール・インターネットサイト・音声通話などを駆使して車両使用者との接触する事が出来、緊急・故障時の処理方法の提供や、整備工場・ディーラー・保険会社への最善なる誘致を可能にしたシステム。
【産業上の利用可能性】
【０００９】
車両使用者の前もって許諾された個人情報や携帯通信端末からの位置情報、車両情報や診断信号などの情報を組み合わせ、細分化することにより、自動車産業を 取り巻く企業のみならず新たなマーケット調査を実現する事と、各企業からアプローチされる車両使用者に特定した有益な情報を、車両使用者は任意で享受する ことが出来る。
【符号の説明】
【００１０】
OBD（On-board diagnostics：初期OBD・OBD2にわたる総称）とは、自動車に搭載されるコンピュータ（ECU）が行う自己故障 診断のことであり、一般にOBDが故障診断した場合は、故障の箇所や内容をランプの点灯や明滅あるいはブザー音などの鳴動でドライバーに伝え、その内容に 応じたコードを記録する事が出来、 整備士は、専用端末あるいは汎用ソフトウェアを用いて記録されたコードを得ることにより、その内容を解析できる。
【図１】
2016167112.tif 000003
【図２】
2016167112.tif 000004
(57)【要約】      （修正有）【課題】広い場所に自転車や自動車を置いた場合に戻ろうとして何処に置いたのかわからなくなり右往左往することや、又、観光バスでの見学など団体行動をしながら一人また数人がはぐれて迷ってしまうというようなことも度々あることを防ぐため、自転車や自動車の位置を簡易に確認できる簡易駐輪駐車位置確認装置を提供する。【解決手段】自転車や自動車などの目標物体に制御器を取付けておき、また、本人が探知器を所持し、場所が分からなくなった場合は探知器の押ボタンを押すことにより、制御器が起動して探知器の指向性アンテナで目標物体の方向を確認できるようにした。観光バスに利用した場合はガイドさんが制御器を所持していれば戻ることができる。【選択図】図１
2016212074.tif 000002
【特許請求の範囲】
【請求項１】
探知器からＡＨｚ波長の電波を発射して目標物体に取付けた制御器で受信して制御器内のＢＨｚ波長の電波発射部を起動させ、この電波を探知器内の指向性を有するアンテナで受信して目標物体の方向を確認する簡易方向確認装置において
ＡＨｚ波長の電波を発射し、ＢＨｚ波長の電波を受信する探知器と
ＡＨｚ波長の電波を受信し、ＢＨｚ波長の電波を発振する制御器とを備え
上記探知器は  ＡＨｚ波長の電波を発射するＡ発振部と、該Ａ発振部を起動させる押ボタンスイッチと、ＢＨｚ波長の電波を受信するＢ受信部と、該Ｂ受信部がＢＨｚ波長の電波を受信した時に表示を出す表示部とを有し、
上記制御部はＡＨｚ波長の電波を受信するＡ受信部と、ＢＨｚ波長の電波を発射するＢ発振部とを有し、
上記Ｂ発振部はＡ受信部がＡＨｚ波長の電波を受信したことによりＢＨｚ波長の電波を  発振し、
上記Ｂ受信部内のＢＨｚ波長の電波を受信するアンテナは指向性を有することを特徴と  する簡易方向確認装置。
【発明の詳細な説明】
【技術分野】
【０００１】  本発明は、自転車及び自動車の位置を無線により簡便に確認する装置に関する
【背景技術】
【０００２】  従来は広い駐車場に駐車して、食事や買い物をして帰るときに自動車に戻ろうとして置いた場所がわからずに右往左往することがあった。【０００３】  又通勤通学で、電車に乗るために駅前の駐輪場に忙しく乱雑に乗り捨てて行く。このため監視員が状況によって遠く離れたところへ移動して整理整頓を行う。自転車の持ち主は自分が置いたところにないため右方向へ、左方向へ探しまわってやっと探し当てるということも度々あった。【０００４】  大都会においては高度で便利な設備があるとしても、通常は自分で探さなければならないのが実情である。
【発明の開示】
【発明が解決しようとする課題】
【０００５】    以上に述べたように従来は広い駐輪場や駐車場で駐輪また駐車した場所が解らなくて右往左往するという不便な問題を解決するものであり電波により簡便に探知して目標物にたどり着くことが出来る装置を提供することを目的とするものである。
【課題を解決するための手段】
【０００６】  本発明はこのような従来から有している問題を解決しようとするものであり、探知器からＡＨｚ波長の電波を発射して目標物体に取付けた制御器で受信して制御器内のＢＨｚ波長の電波発射部を起動させ、この電波を探知器内の指向性を有するアンテナで受信して目標物体の方向を確認する簡易方向確認装置において、ＡＨｚ波長の電波を発射し、ＢＨｚ波長の電波を受信する探知器と、ＡＨｚ波長の電波を受信し、ＢＨｚ波長の電波を発振する制御器とを備え、上記探知器はＡＨｚ波長の電波を発射するＡ発振部と、該Ａ発振部を起動させる押ボタンスイッチと、ＢＨｚ波長の電波を受信するＢ受信部と、該Ｂ受信部がＢＨｚ波長の電波を受信した時に表示を出す表示部とを有し、上記制御部はＡＨｚ波長の電波を受信するＡ受信部と、ＢＨｚ波長の電波を発射するＢ発振部とを有し、上記Ｂ発振部はＡ受信部がＡＨｚ波長の電波を受信したことによりＢＨｚ波長の電波を発振し、上記Ｂ受信部内のＢＨｚ波長の電波を受信するアンテナは指向性を有するようにしたものである。【０００７】  上記の課題解決手段による作用は次のとおりである。
制御器を自転車又は自動車などの目標物体に取付けて置き、探知器を本人が所持しておく。目標物体から離れて用件を終えてから戻ろうとして場所がわからなくなった時に探知器の押しボタンスイッチを押すと、探知器内のＡ発振部がＡＨｚ波長の電波を発射する。
すると目標物体に取付てある制御器内のＡ受信部がＡＨｚ波長の電波を受信してＢ発振部を起動させＢＨｚ波長の電波を発射する。ここで探知器を左右に方向を変えることにより、目標物体の方向と一致したときに探知器内のＢ受信器が指向性アンテナで電波を受信して表示部が表示を出して目標物体の方向を教えてくれる。【０００８】  次に実施例を述べる。
自転車を駅の駐輪場や大型店舗の駐輪場に置いて置き場所が解らなくなったときには自転車に制御器を取付けておけば、どちらの方向に置いたかということが直ぐに解り便利である【０００９】  自動車においても同様にどこに置いたのか解らなくなったとき大変べんりであるが、探知器を自動車の定員数搭載しておけば、各人が探知器を所持して車から降りて別行動をする場合に時間を決めて集合するのにＡさんが来ない、Ｂさんが来ないと時間を無駄に過ごすことなく利用価値の高いものである。【００１０】  また観光バスにおいてもバス内に制御器を取付ておきバスの定員分の探知器を備えておき各人に所持してもらっておけばサービスエリアで休憩して何時何分に出発というときでもバスの場所が解らなくて遅れるということもなく便利である。また見学などでガイドさんと一緒に行動をしても一人また何人か別行動をしたりはぐれたりしてもガイドさんが制御器を所持していれば容易に合流することが出来るので大変便利である。
【発明の効果】
【００１１】  上述したように本発明を利用することにより一人、二人の場合でも便利であるが、数十人が団体行動をする場合には時間のムダもなく規律ある行動ととることができるので観光バスではなくてはならない必要な装置となるものでる。
【図面の簡単な説明】
【００１２】
【図１】  本発明の概念図
【符号の説明】
【００１３】１  目標物体
２  探知器
３  制御器
４  Ａ発振部
５  Ｂ受信部
６  Ａ受信部
７  Ｂ発振部
８  押ボタンスイッチ
９  表示部
【図１】
2016212074.tif 000003
(57)【要約】      （修正有）【課題】幅広い年齢層や利用者層へ普及させることが出来る、従来のバランスシールに変わるファッション性の高いシールを提供する。【解決手段】“蝶”や“ハート”などを型取ったタトゥーシール１にする。【選択図】図１
2016212364.tif 000002
【特許請求の範囲】
【請求項１】
従来のバランスシールはファッション性が乏しく露出した部分に貼ることへの抵抗があった。その為ユーザーへの広がりが少なかった。そこでファッション性の高い“蝶や“ハート”などを型取ったお洒落なタトゥーシールに変えることにより、身体の露出した部分にあえてそれを貼れるものとして提供する。
【発明の詳細な説明】
【技術の分類】
【０００１】今までファッション性の無かったバランスシールをタトゥータイプのシールに型取ったものである。
【背景技術】
【０００２】バランスシールは今までファッション性に重点を置かなかったために支持される年齢層や使用者の層が限られていた。
【発明の開示】
【発明が解決しようとする課題】
【０００３】      そのために次のような問題点があった。
（イ）利用者が高齢者やスポーツをする人達に限定されるイメージがあった。
（ロ）ファッション性が低いため若い年齢層や女性層などへの広がりがなかった。
（ハ）固定されたユーザー層に限られていた。
【課題を解決する為の手段】
【０００４】従来のバランスシールはファッション性が乏しく露出した部分に貼ることへの抵抗があった。その為ユーザーへの広がりが少なかった。そこでファッション性の高い“蝶”や“ハート”などを型取ったお洒落なタトゥーシールに変えることにより、身体の露出した部分にあえてそれを貼れるものとして提供する。
【発明の効果】
【０００５】このシールを利用することにより、固定されたイメージによる限定された使用者層から幅広い年齢層や利用者層へ普及させることが出来る。
【発明を実施する為の最良の形態】
【０００６】      以下本発明の実施の形態について説明する。
（イ）見た目を考慮してアクセサリー感覚のデザインにする
（ロ）  ジュエリーを連想させる色合いにこだわる
（ハ）使用する部位によって大きさ、形を変える必要があるのでタトゥータイプのシールにした
本発明は以上の構成によりなっている。
【図面の簡単な説明】
【０００７】
【図１】本発明のファッション性を高めたタトゥータイプのバランスシールを示す平面図
【図２】本発明の利用例を示す斜視図
【符号の説明】
【０００８】１．ハートやダイヤなどデザインを型取ったものや蝶や植物、動物、月や太陽などの自然や動植物を型取ったシールにする。
２．シールを解りやすくするための台紙
３．首や肩、耳などに使用したときの例
４．足、膝、太ももに使用したときの例
【図１】
2016212364.tif 000003
【図２】
2016212364.tif 000004
(57)【要約】【課題】  従来の金管楽器の弱音器での長時間練習は奏法や響き、ピッチなどに様々な悪影響が出ている。原因はベルの中に弱音器を差し込んだり被せたりしている為にベルの響きが止められ、更に息の流れも悪くなったりするからである。  また騒音等の問題も従来の弱音器では限界がある。練習は誰もが弱音器無しで行いたいと思っているが、スタジオを借りて練習せざるを得ないのが現状である。  その為に家庭でも弱音器なしで練習できる安価な装置が熱望されて来た。【解決手段】空洞の遮音体の中に金管楽器のベルを差し込み蓋をすることで優れた弱音効果が得られる。空洞の中でベルが何物にも接触しないので楽器の振動を止める事が無く自然な吹奏感が保てるようなる。  遮音性の高い塩化ビニール筒の中に吸音材を貼り、更に音吸音性に優れた蓋を取りつけてベルを密閉することで弱音効果が飛躍的に高まり、響きやピッチ、音程、音色を自然な状態に保ちながら吹奏が出来るようなる。【選択図】図１
2016212360.tif 000002
【特許請求の範囲】
【請求項１】
金管楽器のベル部を挿入可能な開口部を有する有低遮音用筒体に遮音用の蓋をすることにより金管楽器のベル部を完全に密閉し、しかもベル部が何物にも触れない状態で吹奏を可能にする金管楽器用弱音器である。
【請求項２】
請求項１記載の金管楽器用弱音器において、
前記有底遮音用筒体が、内部を吸音材で構成されている事を特徴とする金管楽器用弱音器である。
【発明の詳細な説明】
【技術分野】
【０００１】  本発明は金管楽器の弱音器を装着せずにベルを筒の中に差し込み蓋をすることで音量を大幅に弱める事が出来、自然な息の流れで金管楽器を吹奏する事が出来る金管楽器消弱音器である。
【背景技術】
【０００２】  金管楽器の従来の弱音器での長時間練習は奏法や響き、ピッチなどに様々な悪影響が出てくる。
原因はベルの中に弱音器を差し込んだり被せている為にベルの響きが止められる為である。
練習は誰もが弱音器無しで行いたいと思っているが、騒音等の問題でスタジオを借りて練習せざるを得ないのが現状である。
その為に家庭でも弱音器なしで練習できる安価な装置が熱望されて来た。
【先行技術文献】
【特許文献】
【０００３】
【非特許文献】
【０００４】
【発明の概要】
【発明が解決しようとする課題】
【０００５】  金管楽器の弱音器にはベルに差し込む形式とベルに被せる形のものが有るが、どちらもベルに接触している為に楽器の振動を止めてしまい、自然な吹奏感が失われる事になり、更にピッチや音程にも悪影響が出てきてしまう。【０００６】  従来の弱音器やミュートでは家庭での金管楽器練習は騒音の問題を解決できなかった。
【課題を解決するための手段】
【０００７】  以上の課題を解決する為に本発明は空洞の中に金管楽器を差し込む形式にしたものである。
遮音性の高い塩化ビニール筒の中に吸音材を貼り、更に音吸音性に優れた蓋を取りつけてベルを密閉することで、響きやピッチ、音程、音色が自然な状態に保ちながら自然な吹奏感で吹奏が出来るようにした。【０００８】  空洞の中でベルを何物にも接触させないので楽器の振動を止める事が無く自然な吹奏感が保てるようにした。
【発明の効果】
【０００９】  上述したように本発明の弱音装置を使用した結果、従来の弱音器と違い、吹奏感や響き、ピッチ、音程、音色が自然な状態で吹奏出来るようになった。【００１０】  防音装置の無い家庭や教室等でも、周りに迷惑をかける事無く安心して金管楽器をオープンで練習できるまでの弱音効果が得られた。【００１１】  ベルがオープンの状態なので吹奏時の唇に余分な負担がかからなくなった。
【図面の簡単な説明】
【００１２】
【図１】本発明の実施形態を示す金管楽器用弱音器の斜視図である
【図２】同金管楽器用弱音器の蓋（中央に小円の空洞と一カ所に半径分の直線の切れ目が入ったプラスチック）部分の斜視図である
【図３】同金管楽器の用弱音器の蓋（中央に小円の空洞と一カ所に半径分の直線の切れ目が入った吸音材）部分の斜視図である
【図４】同金管楽器用弱音器の底（吸音材）部分の斜視図である
【図５】同金管楽器用弱音器の底（塩化ビニール）部分の斜視図である
【発明を実施するための形態】
【００１３】  以下、本発明の実施の形態を図１〜図５に基づいて説明する。
【００１４】  図１においては、１は筒状の塩化ビニール２は筒の内側面の吸音材３はプラスチックの蓋４は吸音材の蓋５は吸音材の底６は塩化ビニールの底
【００１５】  １の筒内側面に吸音材２を接着する。
【００１６】  ５の吸音材と６の塩化ビニール底を底面に接着する
【００１７】  ４の吸音材と３の塩化ビニール蓋を接着する
【００１８】
【符号の説明】
【００１９】  符号１  塩化ビニール管は質量が有り防音効果に優れている。【００２０】  符号２，４，５  吸音材で包み込むために吸音効果が高まる。【００２１】  符号３，６  硬質の塩化ビニールとプラスチックで蓋をすることで更に消音効果が高まる。
【図１】
2016212360.tif 000003
【図２】
2016212360.tif 000004
【図３】
2016212360.tif 000005
【図４】
2016212360.tif 000006
【図５】
2016212360.tif 000007